(57)【要約】【課題】二次燃焼機構を備えた薪ストーブにおいて、熱交換機構を備えて余剰熱回収や他所暖房並びに給湯等が確実に且つ効率的に実施する。【解決手段】燃焼室１１内の上部に二次燃焼用の空気供給口１４を備えている薪ストーブ装置において、燃焼室内の底面全体を占めて上面を火床としている下方水室部２と、燃焼室上方における煙突部位置を除く部分の大部分を占める範囲に設けると共に、内部に熱交換用迂回管６１を内装した上方水室部（上方水室３１）と、二次燃焼用の空気供給口形成設置から外した位置で、前記下方水室部と上方水室部を連通させる連絡水室部４とを備えてなる。【選択図】図３
2010223539.tif 000002
【特許請求の範囲】
【請求項１】
薪や木質成形燃料等を燃料とし、燃焼室内の上部に二次燃焼用の空気供給口を備えている薪ストーブ装置において、燃焼室内の底面全体を占めて上面を火床としている下方水室部と、燃焼室上方における煙突部位置を除く部分の大部分を占める範囲に設けると共に、内部に熱交換用迂回管を内装した上方水室部と、二次燃焼用の空気供給口形成設置から外した位置で、前記下方水室部と上方水室部を連通させる連絡水室部とを備えてなることを特徴とする薪ストーブ装置。
【請求項２】
下方水室部の上面を、連絡水室部との連通個所に向かって高くなるように傾斜して形成してなる請求項１記載の薪ストーブ装置。
【請求項３】
上方水室部と下方水室部と連絡水室部を一体に形成して、各水室部の壁部が燃焼室の内壁としてなる請求項１記載の薪ストーブ装置。
【請求項４】
上方水室部を燃焼室外の上方に煙突部の通過部を除く部分の大部分を占める範囲に設けると共に、連結水室部が燃焼室上壁を貫通して上方水室部に接続してなる請求項１記載の薪ストーブ装置。
【請求項５】
連絡水室部を、燃焼室内奥側隅部に、柱状に形成してなる請求項１乃至４記載の薪ストーブ装置。
【請求項６】
連絡水室部が、左右の柱状水室と、奥壁面に添うと共に、上面をＶ状として柱状水室間に設けた奥面水室とを備えてなる請求項５記載の薪ストーブ装置。
【請求項７】
上方水室部が、燃焼室上方外側部分における上方水室と、燃焼室背面外側に添って設けた蓄熱水室とを備えてなる請求項４乃至６記載の何れかの薪ストーブ装置。
【請求項８】
請求項１乃至７記載の何れかのストーブ装置と、前記ストーブ装置における上方水室部にオーバーフロー部を付設すると共に、上方水室部内に水位センサ及び温度センサを設けて、前記センサの検知値によって給水制御を行う給水機構と、上方水室部内の熱交換用迂回管と接続して別室配置の温水暖房器に温水を循環させる別室暖房機構とを備えてなることを特徴とする薪ストーブ暖房システム。
【請求項９】
請求項１乃至７記載の何れかのストーブ装置と、前記ストーブ装置における上方水室部にオーバーフロー部を付設すると共に、上方水室部内に水位センサ及び温度センサを設けて、前記センサの検知値によって給水制御を行う給水機構と、上方水室部内の熱交換用迂回管に給水部と温水吐出部と接続して構成した給湯機構とを備えてなることを特徴とする薪ストーブ暖房システム。
【請求項１０】
別室暖房機構における温水循環路に、熱交換用迂回管を介在させて給水部と温水吐出部と接続して構成した給湯機構を付設してなる請求項８記載の薪ストーブ暖房システム。
【発明の詳細な説明】
【技術分野】
【０００１】
本発明は、固形燃料を燃焼させて室内暖房する所謂薪ストーブ（木質成形燃料：ペレット・ブリケットを燃料とするペレットストーブも含む）において、特に温水発生部を備え温水暖房や給湯を実現する薪ストーブ装置及び前記ストーブ装置を使用した暖房システムに関するものである。
【背景技術】
【０００２】
薪ストーブにおいて、燃焼室内外に水室を付設し、当該水室内に熱交換管を迂回させ、熱交換管を通過する水を温め、床暖房や給湯に使用する熱交換機構を備えている器具は公知である（特許文献１，２）。
【０００３】
また薪ストーブにおいて、燃焼効率を高めるため、燃焼室内に一次燃焼で発生した未燃焼ガスを燃焼（二次燃焼）させる二次空気を供給する構造（二次燃焼機構）を備えた器具が知られている（特許文献３，特許文献４）。
【先行技術文献】
【特許文献】
【０００４】
【特許文献１】特開昭６０−３６８３０号公報。
【特許文献２】実開平１−１２０００１号公報。
【特許文献３】特開２００４−７７０６０号公報。
【特許文献４】特開２００７−２８５５７０号公報。
【発明の概要】
【発明が解決しようとする課題】
【０００５】
ところで、二次燃焼機構を備えたストーブは、燃焼効率に優れていると共に、二次燃焼空気は燃焼ガスの煙突部からの排出に際して自然に吸引される構造で（特許文献３，４参照）、ある程度の一次燃焼が前提となる。このため当該ストーブを設置した室内の必要暖房熱量以上の燃焼によって余剰発熱量を生ずる結果となりやすい。
【０００６】
この余剰発熱量は、特許文献１，２に開示される熱交換機構を付設することで有効に利用することができるが、特許文献１に開示されているように煙突部の周囲に水室を設けたのみでは、余剰熱回収が必ずしも適切に行われない。また特許文献２に開示されている様に燃焼室内の上部の煙突部入口個所に配置した場合には、二次燃焼機構の組み込みに不都合が生ずる。
【０００７】
そこで本発明は二次燃焼機構を備えた薪ストーブにおいて、熱交換機構を備えて余剰熱回収や他所暖房並びに給湯等が確実に且つ効率的に実施できるストーブ装置及び暖房システムを提案したものである。
【課題を解決するための手段】
【０００８】
本発明（請求項１）に係る薪ストーブ装置は、薪や木質成形燃料等を燃料とし、燃焼室内の上部に二次燃焼用の空気供給口を備えている薪ストーブ装置において、燃焼室内の底面全体を占めて上面を火床としている下方水室部と、燃焼室上方における煙突部位置を除く部分の大部分を占める範囲に設けると共に、内部に熱交換用迂回管を内装した上方水室部と、二次燃焼用の空気供給口形成設置から外した位置で、前記下方水室部と上方水室部を連通させる連絡水室部とを備えてなることを特徴とするものである。
【０００９】
而して連通する上方水室部、下方水室部及び連絡水室部に水（伝達水）を満たし、燃焼室で、薪や木質成形燃料等を燃し、所定以上の燃焼が実現すると、二次空気の吸引がなされて二次燃焼が生じて、燃焼室内は相応の高温になり、燃焼室における連絡水室部を形成していない面からの輻射熱、並びにストーブ表面で暖められた空気対流で当該室内暖房がなされる。同時に上方水室部、下方水室部及び連絡水室部の伝達水は暖められて、所定の高温湯となる。更に高温湯である伝達水で上方水室部内の熱交換迂回管内を通過する水（用水）が温められ、前記温用水は相応の目的に使用することができる。
【００１０】
また本発明（請求項２）に係る薪ストーブ装置は、下方水室部の上面を、連絡水室部との連通個所に向かって高くなるように傾斜して形成してなるもので、伝達水中に気泡が発生してもスムーズに上方水室部に移動し放出される。
【００１１】
また本発明（請求項３）に係る薪ストーブ装置は、上方水室部と下方水室部と連絡水室部を一体に形成して、各水室部の壁部が燃焼室の内壁としてなるもので、ストーブ本体の一部が各水室部で形成されることになり、二次燃焼空気供給構造を所望のものとすることができ、二次燃焼効率の向上に容易に対応できる。
【００１２】
また本発明（請求項４）に係る薪ストーブ装置は、  上方水室部を燃焼室外の上方に煙突部の通過部を除く部分の大部分を占める範囲に設けると共に、連結水室部が路燃焼室上壁を貫通して上方水室部に接続してなるもので、既存のストーブ装置に対して水室部を効果的に組み入れることができるもので、特に請求項７記載の発明のように、上方水室部が、燃焼室上方外側部分における上方水室と、燃焼室背面外側に添って設けた蓄熱水室とを備えてなることができ、これによって、室内の壁面近傍に設置されるストーブ装置において、壁面に近接して輻射熱が室内暖房に有効でないストーブ背面を覆うことになり、また伝達水の水量確保によって伝達水の熱容量を大きくできるものである。
【００１３】
また本発明（請求項５，６）に係る薪ストーブ装置は、特に、連絡水室部を燃焼室内奥側隅部に柱状に形成してなり、また連絡水室部が、左右の柱状水室と、奥壁面に添うと共に、上面をＶ状として柱状水室間に設けた奥面水室とを備えてなるもので、燃焼室内天井付近に設けた二次燃焼空気口からの空気供給や、燃焼室上部に設けられた煙突部からの排煙、並びに燃焼室空間確保に支障をきたすことなく、上下水室部を連通できるものであり、奥面水室の形成によって燃焼室の内壁となる水室面積をさらに増大させることができる。
【００１４】
また本発明（請求項８）に係る薪ストーブ暖房システムは、前記のストーブ装置と、ストーブ装置における上方水室部にオーバーフロー部を付設すると共に、上方水室部内に水位センサ及び温度センサを設けて、前記センサの検知値によって給水制御を行う給水機構と、上方水室部内の熱交換用迂回管と接続して別室配置の温水暖房器に温水を循環させる別室暖房機構とを備えてなることを特徴とするものである。
【００１５】
而してストーブ装置で当該室内の暖房を実現すると共に、ストーブ装置における余剰発熱量を有効利用して別室の暖房も実現できるもので、特に伝達水の過熱や、水量不足に対しては、給水を実施して対応する。
【００１６】
また本発明（請求項９，１０）に係る薪ストーブ暖房システムは、上方水室部内の熱交換用迂回管に給水部と温水吐出部と接続して構成した給湯機構を、前記別室暖房機構に代えて設けたり、若しくは更に追加して設けたもので、別室暖房に代え、或いは別室暖房に加えて給湯設備として利用できるものである。
【発明の効果】
【００１７】
本発明は上記のとおり二次燃焼用空気供給を阻害することなく燃焼室内外に伝達水の水室部を設けると共に、上方水室部内に熱交換用迂回管を設けた薪ストーブ装置並びに前記薪ストーブ装置を使用した暖房システムで、ストーブの燃焼熱効率を高めるために二次燃焼を実現することによって生じ易い余剰発熱を有効に利用することができたものである。
【図面の簡単な説明】
【００１８】
【図１】本発明（薪ストーブ装置）の実施形態の全体の外観図。
【図２】同各水室部の説明図。
【図３】同全体の断面図。
【図４】本発明の（薪ストーブ暖房システム）の説明図。
【発明を実施するための形態】
【００１９】
次に本発明の実施形態について説明する。実施形態に示したストーブ装置は、ストーブ本体１に各水室部２，３，４を付設し、暖房システムは、前記ストーブ装置に給水機構５と、別室暖房機構６と、給湯機構７を組み合わせたものである。
【００２０】
ストーブ本体１は、薪Ａや木質成形燃料（粉砕木片や樹皮などを固めたペレットやブリケット）等を燃料とするもので、所定の大きさの燃焼室１１と、前面扉１２と、燃焼室１１の上部に煙突部１３を設けたもので、特に燃焼室１１の上部に、二次燃焼用の空気供給口１４を穿設した二次空気パイプ（外気導入用）１５を、やや前方と煙突部１３の入口近傍に配設してなるものである。
【００２１】
下方水室部２は、燃焼室１１内の底面全体を占めて上面を火床としているもので、特に上面は、後述する連絡水室部４との連通個所に向かって高くなるように傾斜して形成している。
【００２２】
上方水室部３は、全体が側方視Γ状で、上方水室３１と蓄熱水室３２で構成され、上方水室３１は、ストーブ本体１の燃焼室１１の上外面全体における煙突部１３の通過部３３を除く部分を占める範囲に、適宜高さに設けたもので、蓄熱水室３２は、燃焼室背面外側に添って設けたものである。
【００２３】
連絡水室部４は、燃焼室１１内の奥側両隅部に柱状に形成した柱状水室４１と、左右の柱状水室４１と、奥壁面に添うと共に、上面をＶ状として柱状水室４１間に設けた奥面水室４２と、柱状水室４１から前方に向かって下方傾斜させた腕状水室４３とを備えてなる。尚燃焼室内奥側の二次空気パイプ１５は、柱状水室４１間に設けてなる。
【００２４】
給水機構５は、上方水室部３にオーバーフロー部５１を付設すると共に、上方水室３１内に所定のセンサ（水位センサ及び温度センサ）５２を設け、更に給水栓５３と接続して上方水室３１に給水を行う給水路５４を付設し、この給水路５４に前記センサの検知値によって給水制御される給水弁５５を介設してなるものである。
【００２５】
別室暖房装置６は、上方水室３１内に、フレキシブルチューブを適当長さ巻いて形成して熱交換用迂回管６１と、別室Ｂに設置した温水暖房器６２と、前記熱交換用迂回管６１と温水暖房器６２とを接続する循環路６３と、循環路６３に介装したポンプ６４とで構成される。また下記給湯機構７を併設する場合には、温水暖房器６２側に遮断弁６５を介設する。尚温水暖房器６２は、温風発生タイプでも床暖房配管によるものでも良い。
【００２６】
給湯機構７は、前記の循環路６３から分岐して熱交換用迂回管６１と接続するもので、一方を給水部７１と、他方を温水吐出部７２と各々接続し、分岐管７３に連動する開閉弁７４を介設したものである。尚別室暖房機構６を設けずに、給湯機構単独で組み込む場合には、開閉弁７４は単独で十分である。
【００２７】
而して連通する上方水室部３、下方水室部２及び連絡水室部４に伝達水（熱伝達を介在する液体）を満たし、燃焼室１１で従前とおり燃料Ａを燃すと、ストーブ本体１においては、所定以上の燃焼が行われると、空気供給口１４から二次空気の吸引がされて、燃焼室１１内では二次燃焼が生ずる。
【００２８】
この結果、燃焼室１１内は相応の高温になり、ストーブ本体１の前面及び側面からの輻射熱、並びにストーブ表面で暖められた空気対流で当該室内の暖房がなされる。
【００２９】
同時に上方水室部３、下方水室部２及び連絡水室部４の伝達水は暖められて所定の高温湯となり、更に高温湯である伝達水によって上方水室３１内の熱交換用迂回管６１内を通過する水（用水）が温められものである。
【００３０】
特に下方水室部２の上面、奥面水室４２の上面並びに腕状水室４３の上面が、上方水室３１と連通している柱状水室４１に向かって高くなるように傾斜しているので、伝達水の加熱によって伝達水中に気泡が発生してもスムーズに上方水室３１に移動し、大気中に放出される。
【００３１】
伝達水が熱くなり所定温度以上となる場合には、給水機構５の給水弁５５を開放して給水を実施し、また伝達水の水位が所定以上に低下した場合にも同様に給水を実施し、熱交換用迂回管６１が常に伝達水に浸っているようにしている。
【００３２】
そして熱交換用迂回管６１を流れる用水は、伝達水によって暖められ、ポンプ６４の駆動によって、別室Ｂに設置されている温水暖房器６２に暖められた用水が供給され、別室Ｂの暖房を、単一のストーブ装置で実現することができたものである。
【００３３】
更に用水を風呂、台所に湯として供給する場合には、別室温水暖房を中止（配管構成によって同時使用も当然可能である）し、給水部７１から熱交換用迂回管６１に用水を供給し、温水吐出部７２から暖められた用水を取り出すことで、給湯設備としても使用することができたものである。
【００３４】
このように本発明は、二次燃焼タイプのストーブ装置において特異な水室構成を採用して、別室暖房や給湯を実現したもので、ストーブの燃焼熱の有効利用を図ったものである。
【００３５】
尚本発明は前記した実施形態に限定されるものではなく、例えば前記実施形態は水室構造が、ストーブ本体内に下方水室部と連絡水室部を内装し、上方水室部をストーブ本体外に形成して、既存のストーブ装置を有効利用できる構成としているが、初めから上下水室部及び連絡水室部を一体に形成し、これらの水室部がストーブ本体の一部を形成するようにしても良い。
【００３６】
更に連絡水室部の形状も、柱状水室に形成することなく、扁平面板状に形成しても良いし、腕状水室を設けなくとも良い等任意に定めことができるものである。
【符号の説明】
【００３７】
１      ストーブ本体
１１    燃焼室
１２    前面扉
１３    煙突部
１４    空気供給口
１５    二次空気パイプ
２      下方水室部
３      上方水室部
３１    上方水室
３２    蓄熱水室
３３    煙突通過部
４      連絡水室部
４１    柱状水室
４２    奥面水室
４３    腕状水室
５      給水機構
５１    オーバーフロー部
５２    センサ（水位センサ及び温度センサ）
５３    給水栓
５４    給水路
５５    給水弁
６      別室暖房装置
６１    熱交換用迂回管
６２    温水暖房器
６３    循環路
６４    ポンプ
６５    遮断弁
７      給湯機構
７１    給水部
７２    温水吐出部
７３    分岐管
７４    開閉弁
【図１】
2010223539.tif 000003
【図２】
2010223539.tif 000004
【図３】
2010223539.tif 000005
【図４】
2010223539.tif 000006